(57)【特許請求の範囲】
【請求項１】
土中に掘削して泥水を満たした掘削溝の両端部内に、一対の案内板を溝底まで挿入し、その案内板の間に、Ｕ字溝型に形成した所要長さの発泡プラスチックと、その内部に詰め込んだコンクリートなどの重量物との複合体からなり、その重量物により浮力が減少された発泡プラスチックの単位ブロックを吊り入れて、溝壁内に順に沈設して溝底から溝壁上部に積重し、それら単位ブロックにより、溝壁内に位置して表面が上記発泡プラスチックにより形成された一つの壁体を形成し、その壁体と溝壁との隙間を間詰めして土中の音および振動を壁体表面の発泡プラスチックと内部の重量物とにより遮断する地中壁を構成してなることを特徴とする防振・防音地中壁の施工方法。
【発明の詳細な説明】
【０００１】
【発明の属する技術分野】
この発明は、発泡プラスチックブロックによる防振・防音地中壁の施工方法に関するものである。
【０００２】
【発明が解決しようとする課題】
スチロール樹脂などのプラスチックを基材とする発泡体は、吸音性を有することから、防音材として広く利用されている。またプラスチックに混合した発泡剤の細かな発泡により泡状構造を持つことから吸振性、断熱性をも有し、各種装置の防振材として使用しているところもある。しかし、その使用は地上における場合が殆どで、土中での防振・防音については未だ実験の段階にある。
【０００３】
これまでの資料によれば、地中に掘削した幅５０mmの空溝内に発泡スチロールブロックを挿入して地中壁とした場合でも、振動遮断効果があることが確認されている。したがって、発泡プラスチックブロックによる地中壁をもって、土中の音や振動を遮断することは充分に可能といえる。
【０００４】
しかしながら、発泡プラスチックブロックによる地中壁の施工に当たっては、発泡プラスチックの特性ともいうべき浮力を解決する必要がある。土中深く掘削された溝壁内には、土壁面の崩壊を防止する泥水が満たされており、この泥水中に発泡プラスチックブロックを順に沈めて、溝底から地面にまで積み上げて地中壁となすことは技術的に困難で、この浮力を何らかの手段によってブロックの沈設に影響を与えない程度に小さくしなければ、発泡プラスチックブロックによる防振・防音地中壁を施工することはできない。
【０００５】
また溝壁内の泥水を排出することによって、発泡プラスチックブロックによる地中壁の施工が可能としても、そこに構成された地中壁の地下水に対する浮力は極めて大きいので、長期にわたる安定性の保証はなく、地盤として地下水が生じ易い地域では、発泡プラスチックブロックによる防振・防音地中壁は採用され難い、という課題をも有する。
【０００６】
この発明は上記事情から考えられたものであって、その目的は、地中壁を構成する発泡プラスチックブロックの浮力を、コンクリートなどの重量物と複合化することによって減少し、溝壁内の泥水中への沈設を容易となすとともに、発泡プラスチックブロックの積重により構成された地中壁であっても、地下水の影響を受けず長期にわたり安定状態にあって、土中における防振・防音効果を確実になしえる新たな地中壁の施工方法を提供することにある。
【０００７】
【課題を解決するための手段】
上記目的によるこの発明は、土中に掘削して泥水を満たした掘削溝の両端部内に、一対の案内板を溝底まで挿入し、その案内板の間に、Ｕ字溝型に形成した所要長さの発泡プラスチックと、その内部に詰め込んだコンクリートなどの重量物との複合体からなり、その重量物により浮力が減少された発泡プラスチックの単位ブロックを吊り入れて、溝壁内に順に沈設して溝底から溝壁上部に積重し、それら単位ブロックにより、溝壁内に位置して表面が上記発泡プラスチックにより形成された一つの壁体を形成し、その壁体と溝壁との隙間を間詰めして土中の音および振動を壁体表面の発泡プラスチックと内部の重量物とにより遮断する地中壁を構成してなる、というものである。
【０００８】
この発明に用いられる発泡プラスチックの基材としては、スチロール樹脂、塩化ビニル樹脂、ポリエチレン樹脂、ポリウレタン、酢酸繊維素などで、硬質以外にも半硬質のものを用いることができる。
【０００９】
【発明の実施の形態】
図１および図２は、この発明に係る地中壁１の土中２における概略を示すものである。この地中壁１は、図３にその１例を示す単位ブロック３の所要数を、土中２に深く掘削して形成した一定間隔ごとの各溝壁４内に、溝底５から溝壁上部に順に積重して、それぞれ一つの壁体に構成し、その壁体周囲に間詰め６を行って土中２に設置したものからなる。
【００１０】
上記単位ブロック３は、Ｕ字溝型に形成した所要長さの発泡スチロール３１と、その内部に詰め込んだコンクリート３２による重量物との複合体からなり、高さは地中壁の設計に応じて任意に設定することができるが、幅および長さは水平多軸ピットによる土中の掘削溝に収まる範囲に制限される。
【００１１】
このような単位ブロック３では、コンクリート３２の重量により発泡スチロール３１による浮力が減少されて、上記溝壁４内に土壁面の崩壊を防止する泥水が満たされていても、予め浮力の計算から設定された重量により、浮力による抵抗を受けずに泥水中に沈めることができる。
【００１２】
たとえば、図に示す高さ（Ｈ）１０００mm，幅（Ｄ）９００mm、長さ（Ｌ）の単位ブロック３における場合には、
発泡スチロールの寸法  ｈ1 ，ｄ1 ，ｄ2 ：２００mm，
コンクリートの寸法    ｈ2 ：８００mm，  ｄ3 ：５００mm，
に設定することによって、単位ブロック３の沈下が可能となる。即ち、
・泥水中（比重１．０６）の浮力Ｕｐ
Ｕｐ＝１．００×Ｌ×０．９０×１．０６ｔ／ｍ3 ＝０．９５４Ｌt
・発泡スチロール重量ＷE （比重０．０２）
ＷE ＝（０．９０−０．４０）Ｌ×０．０２ｔ／ｍ3 ＝０．０１Ｌt
・コンクリート重量Ｗc （比重２．４ｔ／ｍ3 ）
Ｗc ＝０．８０×Ｌ×０．５０×２．４２．４ｔ／ｍ3 ＝０．９６０Ｌt
【００１３】
0003555054.tif 000002
となり、単位ブロック３は浮力よりも大きくなって、発泡スチロール３１によるものであつても、泥水中に容易に沈んで地中壁１を構成する。
【００１４】
このような単位ブロック３の積重により土中深く構成された地中壁１では、壁体表面が発泡スチロール３１により形成され、その発泡スチロール３１と内部のコンクリート３２とにより、振動源から土中を伝播して地中壁１に達する音や振動が吸収または反射などされて遮られる。また発泡スチロール３１とコンクリート３２との複合化によって、それぞれ相違する周波数成分の音や振動に対しても効率よく作用するようになる。
【００１５】
図４は上記地中壁１の施工説明図で、まず水平多軸ピットにより土中２に掘削溝７を設け、その掘削溝７を泥水８により満たして土壁面の崩壊を防止する。
この掘削作業を一定間隔ごとに行いながら、先に完成した掘削溝７に単位ブロック３を沈設する。
【００１６】
この沈設作業は、案内板９を建込んでから行う。掘削溝７の両端内に一対の案内板９を溝底５まで挿入し、図（Ａ）に示すように対設する。単位ブロック３の沈設は、その案内板９の間に順に吊り入れて泥水８内を溝底５まで沈め入れることによる。
【００１７】
単位ブロック３は、泥水８による浮力抵抗により急速に沈下することなくゆっくりと、順次下位の単位ブロック３の上に沈下して積み重なり、その数を増すごとに壁体を形成してゆき、最終時には図（Ｂ）に示すように地面に達する地下壁１となる。また泥水８は単位ブロック３の沈下ごとに掘削溝７から地上に自然に押し出されて排水され、壁体周囲の隙間に僅かに残るだけとなる。最終処理として、その間隙に砂などの間詰め６を行い、図（Ｃ）に示すように地中壁１を土中２に設置する。
【００１８】
この施工説明では、地下壁の設置を、図２に示すように間隔を開けて行っているが、地下壁相互を接続して連続させ得る。また単位ブロック３の形態も図示のものに制限されず、嵌合手段などによる単位ブロック相互の積重を一層確実にする形態の採用も可能である。
【００１９】
上述のように、この発明の地下壁では、発泡プラスチックとコンクリートなどの重量物の相乗効果により、発泡プラスチックのみによる場合よりも防振・防音効果がさらに向上し、土中の温度に対しても遮温効果を有する。
また発泡プラスチックブロックを重量物と複合化したことによって、浮力による施工障害が除去されるので、発泡プラスチックブロックの積重により構成された地中壁であっても、地中深く防振・防音壁を設置することができ、設置後も地下水の影響を受けず長期にわたり安定状態にあるので、地盤として地下水が生じ易い地域においても充分に採用し得る。
【００２０】
さらにまた、地中壁は単位ブロック相互の積重によるので工場製作が可能となり、現地での作業は溝壁の掘削と案内板の建込み、単位ブロックの沈設、壁体周囲の間詰めのみとなる。これにより省力化はもとより工期の短縮ともなる。
【図面の簡単な説明】
【図１】この発明の施工方法による防振・防音地中壁の概略を示す立面図である。
【図２】同上の平面図である。
【図３】地中壁の単位ブロックの斜視図である。
【図４】この発明の防振・防音地中壁施工方法の説明図である。
【符号の説明】
１      地中壁
２      土中
３      単位ブロック
４      溝壁
５      溝底
６      間詰め
７      掘削溝
８      泥水
９      案内板
３１      発泡スチロール
３２      コンクリート
【図１】
0003555054.tif 000003
【図２】
0003555054.tif 000004
【図３】
0003555054.tif 000005
【図４】
0003555054.tif 000006